(57)【要約】【課題】注型樹脂のモールド表面側からの放熱を良好に行わせることができる樹脂注型形電気回路ユニットを得る。【解決手段】有底で筒状の室１を有し少なくとも底部２の外面に複数の放熱フィン３を突設した金属製のケース４を備えている。ケース４の室１内に収容した電気回路を埋め込んで注型樹脂５を充填する。ケース４の開口部６側に放熱板７を開口部６の周囲に接して取付ける。放熱板７には、ケース４の開口部６に対応して注型樹脂５のモールド表面５ａからの放熱を行う放熱窓１１を開口部６に近い大きさで設ける。【選択図】  図１
2004363208.tif 000002
【特許請求の範囲】
【請求項１】
有底で筒状の室を有し少なくとも底部の外面に複数の放熱フィンが突設されている金属製のケースを備え、前記ケースの前記室内に収容された電気回路を埋め込んで注型樹脂が充填され、前記ケースの開口部側に放熱板が該開口部の周囲に接して取付けられている樹脂注型形電気回路ユニットにおいて、
前記放熱板には前記ケースの前記開口部に対応して前記注型樹脂のモールド表面からの放熱を行う放熱窓が前記開口部に近い大きさで設けられていることを特徴とする樹脂注型形電気回路ユニット。
【請求項２】
前記放熱板の大きさは前記ケースの周面に略等しい大きさとなっていることを特徴とする請求項１に記載の樹脂注型形電気回路ユニット。
【発明の詳細な説明】
【０００１】
【発明の属する技術分野】
本発明は、例えばバッテリ充電制御装置の如き電気回路が注型樹脂でモールドされた樹脂注型形電気回路ユニットに関するものである。
【０００２】
【従来の技術】
従来のこの種の樹脂注型形電気回路ユニットは、図２（Ａ）（Ｂ）に示すように、有底で筒状の室１を有し少なくとも底部２の外面に複数の放熱フィン３が突設されているアルミニウムの如き金属製のケース４を備え、該ケース４の室１内に収容された電気回路（図示せず）を埋め込んで注型樹脂５が充填され、ケース４の開口部６側にアルミニウムの如き放熱板７がケース４の周面より大きな大きさで且つ該開口部６の周囲に接してネジ８で取付けられ、放熱板７の複数箇所には取付け孔９が設けられている。ケース４の側壁には、電気回路からのコード  （図示せず）を引出す箇所にグロメット１２が嵌められている。
【０００３】
このような樹脂注型形電気回路ユニットは、図示しない電気回路のパワー素子等からの放熱をケース４の放熱フィン３や放熱板７で行うようになっている。
【０００４】
電気回路が大出力のものである時には、ケース４のサイズを大きくし、放熱性を良くしている。
【０００５】
しかしながら、上記の如き樹脂注型形電気回路ユニットは、注型樹脂５のモールド表面５ａと放熱板７との間に隙間１０ができ、この隙間１０で注型樹脂５から放熱板７に向かう熱がこもってしまい、放熱を妨げてしまう問題点があった。
【０００６】
また、ケース４のサイズを大きくして放熱性能を上げる場合には、放熱板７のサイズも大きくなり、設置スペースの確保が困難になったり、材料費が上昇してコスト高になる問題点があった。
【０００７】
そこで、出願人は図３（Ａ）（Ｂ）に示す如き樹脂注型形電気回路ユニットを提案した。この樹脂注型形電気回路ユニットは、放熱板７の要部をケース４の輪郭の外に置き、ケース４の開口部６の中央を横切ってこの開口部６より狭い幅の張出し部７ａを設け、張出し部７ａの中央には注入口７ｂを設け、この放熱板７とその張出し部７ａをネジ８でケース４の開口部６の周囲に固定し、注入口７ｂからケース４の室１内に収容された電気回路（図示せず）を埋め込んで注型樹脂５を充填した構造になっている（例えば、特許文献１参照。）。
【０００８】
このような構造の樹脂注型形電気回路ユニットでは、ケース４の開口部６は張出し部７ａで塞がれた箇所以外は開口しているので、注型樹脂５のモールド表面５ａからの放熱性能が向上する利点がある。
【０００９】
【特許文献１】
発明協会公開技報公技番号２００３−５０１５８７号（図２）
【００１０】
【発明が解決しようとする課題】
しかしながら、このような構造の樹脂注型形電気回路ユニットでは、ケース４の開口部６の中央を横切って張出し部７ａが設けられているので、注型樹脂５のモールド表面５ａからの放熱が妨げられ、十分に放熱することができない問題点があった。
【００１１】
本発明の目的は、注型樹脂のモールド表面側からの放熱を良好に行わせることができる樹脂注型形電気回路ユニットを提供することにある。
【００１２】
本発明の他の目的は、サイズを大型化しないで放熱性能を向上できる樹脂注型形電気回路ユニットを提供することにある。
【００１３】
【課題を解決するための手段】
本発明は、有底で筒状の室を有し少なくとも底部の外面に複数の放熱フィンが突設されている金属製のケースを備え、該ケースの室内に収容された電気回路を埋め込んで注型樹脂が充填され、該ケースの開口部側に放熱板が該開口部の周囲に接して取付けられている樹脂注型形電気回路ユニットを対象とする。
【００１４】
本発明に係る樹脂注型形電気回路ユニットでは、放熱板にはケースの開口部に対応して注型樹脂のモールド表面からの放熱を行う放熱窓が開口部に近い大きさで設けられていることを特徴とする。
【００１５】
このように放熱板に、ケースの開口部に対応して注型樹脂のモールド表面からの放熱を行う放熱窓を開口部に近い大きさで設けると、注型樹脂のモールド表面と放熱板との間に熱がこもることがなくなり、注型樹脂のモールド表面からの熱が放熱板の放熱窓を通して行われることになって、注型樹脂のモールド表面側からの放熱を良好に行わせることができる。
【００１６】
この場合、放熱板の大きさは、ケースの周面に略等しい大きさとなっていることが好ましい。このようになっていると、前述した放熱性能の向上と共に、放熱板のサイズの増大を防止でき、設置スペースの確保が容易になり、材料費の上昇も防止でき、質量の増大も防止できる。
【００１７】
【発明の実施の形態】
図１（Ａ）（Ｂ）は例えばバッテリ充電制御装置に適用した本発明に係る樹脂注型形電気回路ユニットの実施の形態の一例を示したもので、図１（Ａ）は本例の樹脂注型形電気回路ユニットの底面図、図１（Ｂ）は図１（Ａ）のＸ−Ｘ線断面図である。なお、前述した図２（Ａ）（Ｂ）と対応する部分には、同一符号を付けて示している。
【００１８】
本例の樹脂注型形電気回路ユニットでは、放熱板７にはケース４の開口部６に対応して注型樹脂５のモールド表面５ａからの放熱を行う放熱窓１１が、開口部６に近い大きさで設けられている。また、放熱板７の大きさは、ケース４の周面に略等しい大きさとなっている。その他の構成は、前述した図２（Ａ）（Ｂ）と同様に構成されている。
【００１９】
このように放熱板７に、ケース４の開口部６に対応して注型樹脂５のモールド表面５ａからの放熱を行う放熱窓１１を開口部６に近い大きさで設けると、注型樹脂５のモールド表面５ａと放熱板７との間に熱がこもることがなくなり、注型樹脂５のモールド表面５ａからの熱が放熱板７の放熱窓１１を通して行われることになって、注型樹脂５のモールド表面５ａ側からの放熱を良好に行わせることができる。
【００２０】
また、放熱板７の大きさは、ケース４の周面に略等しい大きさとなっているので、前述した放熱性能の向上と共に、放熱板７のサイズの増大を防止でき、設置スペースの確保が容易になり、材料費の上昇も防止でき、質量の増大も防止できる。
【００２１】
上記例では、放熱窓１１を１個、開口部６に近い大きさで設けたが、開口部６に対応して複数の放熱窓１１を設けてもよい。
【００２２】
また、この樹脂注型形電気回路ユニットは、バッテリ充電制御装置に限定されるものではなく、樹脂注型形であれば他のインバータの如き電気回路の樹脂注型形電気回路ユニットにも同様に適用することができる。
【００２３】
【発明の効果】
本発明に係る樹脂注型形電気回路ユニットでは、放熱板に、ケースの開口部に対応して注型樹脂のモールド表面からの放熱を行う放熱窓を開口部に近い大きさで設けているので、注型樹脂のモールド表面と放熱板との間に熱がこもることがなくなり、注型樹脂のモールド表面からの熱が放熱板の放熱窓を通して行われることになって、注型樹脂のモールド表面側からの放熱を良好に行わせることができる。
【００２４】
この場合、放熱板の大きさは、ケースの周面に略等しい大きさとなっていることが好ましい。このようになっていると、前述した放熱性能の向上と共に、放熱板のサイズの増大を防止でき、設置スペースの確保が容易になり、材料費の上昇も防止でき、質量の増大も防止できる。
【図面の簡単な説明】
【図１】（Ａ）（Ｂ）は本発明に係る樹脂注型形電気回路ユニットの実施の形態の一例を示したもので、（Ａ）は本例の樹脂注型形電気回路ユニットの底面図、（Ｂ）は（Ａ）のＸ−Ｘ線断面図である。
【図２】（Ａ）（Ｂ）は従来の樹脂注型形電気回路ユニットを示したもので、（Ａ）は従来の樹脂注型形電気回路ユニットの底面図、（Ｂ）は（Ａ）のＹ−Ｙ線断面図である。
【図３】（Ａ）（Ｂ）は従来の改善された樹脂注型形電気回路ユニットを示したもので、（Ａ）は従来の改善された樹脂注型形電気回路ユニットの底面図、（Ｂ）は（Ａ）のＺ−Ｚ線断面図である。
【符号の説明】
１  室
２  底部
３  放熱フィン
４  ケース
５  注型樹脂
５ａ  モールド表面
６  ケースの開口部
７  放熱板
７ａ  張出し部
７ｂ  注入口
８  ネジ
９  取付け孔
１０  隙間
１１  放熱窓
１２  グロメット
【図１】
2004363208.tif 000003
【図２】
2004363208.tif 000004
【図３】
2004363208.tif 000005